(57)【要約】      （修正有）【課題】カラオケ装置とリモートエンドインタラクティブモニター警告表示システムを兼ね備えるテレビを提供する。【解決手段】テレビは、テレビ本体１０、モニター２０、伝送ユニット３０、放送ユニット４０、警報誘発ユニット５０、リモートエンド制御ユニット６０を備える。テレビ本体１０には、ＡＶエンコーダー１１、カラオケ制御回路１４、伝送インターフェース１２を設置し、伝送インターフェース１２は、外付け式の保存装置８０に接続する。モニター２０と、伝送ユニット３０の一端と、放送ユニット４０と、警報誘発ユニット５０は、それぞれ、ＡＶエンコーダー１１と相互に接続する。リモートエンド制御ユニット６０は、伝送ユニット３０の反対端と相互に接続する。【選択図】図４
0003158652.tif 000002
【実用新案登録請求の範囲】
【請求項１】
テレビ本体、少なくとも１個のモニター、少なくとも１個の伝送ユニット、少なくとも１個の放送ユニット、警報誘発ユニット、少なくとも１個のリモートエンド制御ユニットを備え、
前記テレビ本体には、AVエンコーダー、カラオケ制御回路、伝送インターフェースを設置し、
前記カラオケ制御回路は、カラオケ機能の制御を提供し、
前記伝送インターフェースは、外付け式の保存装置に接続し、
前記保存装置は、曲のAVデータ保存に用い、しかも前記保存装置は取り出して、コンピューターと接続し、曲のAVデータダウンロードすることができ、
前記少なくとも１個のモニターは、前記テレビ本体のAVエンコーダと相互に接続し、
前記少なくとも１個の伝送ユニットの一端は、前記AVエンコーダーと相互に接続し、
前記少なくとも１個の放送ユニットは、前記AVエンコーダーと相互に接続し、
前記警報誘発ユニットは、前記AVエンコーダーと相互に接続し、
前記少なくとも１個のリモートエンド制御ユニットは、前記少なくとも１個の伝送ユニットの反対端と相互に接続し、
これにより、前記少なくとも１個のモニターのAVは、前記少なくとも１個の伝送ユニットを経由して、前記少なくとも１個のリモートエンド制御ユニットとインタラクティブな対応を行い、こうしてモニターとリモートエンド放送に利することを特徴とするカラオケ装置とリモートエンドインタラクティブモニター警告表示システムを兼ね備えるテレビ。
【請求項２】
前記テレビ本体のAVエンコーダーには、電話コネクター、ネットワークコネクター、少なくとも１個の放送コネクターを設置し、
前記電話コネクターと前記ネットワークコネクターとは、対応する伝送ユニットと相互に接続し、前記少なくとも１個の放送コネクターは、対応する少なくとも１個の放送ユニットと相互に接続することを特徴とする請求項１に記載のカラオケ装置とリモートエンドインタラクティブモニター警告表示システムを兼ね備えるテレビ。
【請求項３】
前記少なくとも１個の伝送ユニットと前記少なくとも１個のリモートエンド制御ユニットとはさらに、治安機関と接続することを特徴とする請求項１に記載のカラオケ装置とリモートエンドインタラクティブモニター警告表示システムを兼ね備えるテレビ。
【請求項４】
前記伝送ユニットは、電話線で、電信機関と接続し、さらに、前記少なくとも１個のリモートエンド制御ユニットに伝送することを特徴とする請求項１、或いは２、或いは３に記載のカラオケ装置とリモートエンドインタラクティブモニター警告表示システムを兼ね備えるテレビ。
【請求項５】
前記伝送ユニットは、ネットワーク線で、電信機関と接続し、さらに、前記少なくとも１個のリモートエンド制御ユニットに伝送することを特徴とする請求項１、或いは２、或いは３に記載のカラオケ装置とリモートエンドインタラクティブモニター警告表示システムを兼ね備えるテレビ。
【請求項６】
前記放送ユニットは、スピーカーであることを特徴とする請求項１に記載のカラオケ装置とリモートエンドインタラクティブモニター警告表示システムを兼ね備えるテレビ。
【請求項７】
前記少なくとも１個のリモートエンド制御ユニットは、携帯電話であることを特徴とする請求項１、或いは３に記載のカラオケ装置とリモートエンドインタラクティブモニター警告表示システムを兼ね備えるテレビ。
【請求項８】
前記少なくとも１個のリモートエンド制御ユニットは、コンピューターであることを特徴とする請求項１、或いは３に記載のカラオケ装置とリモートエンドインタラクティブモニター警告表示システムを兼ね備えるテレビ。
【請求項９】
前記保存装置は、前記伝送インターフェースを経て、前記デジタル信号プロセッサーと接続し、
前記デジタル信号プロセッサーは、前記保存装置の音楽、字幕、或いはAVファイルなどを、AV信号に転換し、
前記デジタル信号プロセッサーは、前記カラオケ制御回路に接続し、しかも前記カラオケ制御回路は、CPUに接続することを特徴とする請求項１に記載のカラオケ装置とリモートエンドインタラクティブモニター警告表示システムを兼ね備えるテレビ。
【請求項１０】
前記デジタル信号プロセッサーは、デジタルテレビ信号を処理して転換することを特徴とする請求項９に記載のカラオケ装置とリモートエンドインタラクティブモニター警告表示システムを兼ね備えるテレビ。
【請求項１１】
前記伝送インターフェースは、USBインターフェースであることを特徴とする請求項１に記載のカラオケ装置とリモートエンドインタラクティブモニター警告表示システムを兼ね備えるテレビ。
【請求項１２】
前記伝送インターフェースは、メモリカードコネクターで、前記保存装置は、メモリカードであることを特徴とする請求項１に記載のカラオケ装置とリモートエンドインタラクティブモニター警告表示システムを兼ね備えるテレビ。
【請求項１３】
前記少なくとも１個のモニターは、前記USBインターフェースを経由して、前記テレビ本体のAVエンコーダーと相互に接続することを特徴とする請求項１１に記載のカラオケ装置とリモートエンドインタラクティブモニター警告表示システムを兼ね備えるテレビ。
【考案の詳細な説明】
【技術分野】
【０００１】
本考案はカラオケ装置とリモートエンドインタラクティブモニター警告表示システムを兼ね備えるテレビに関し、特にテレビ本体、少なくとも１個のモニター、少なくとも１個の伝送ユニット、少なくとも１個の放送ユニット、警報誘発ユニット、少なくとも１個のリモートエンド制御ユニットにより構成し、主動モニター、リモートエンド即時放送制御の機能を備え、極めて優れたインタラクティブセキュリティ効果を達成し、外付け式のデジタル保存装置を備えるため、コンピューターに接続して、選択した曲データをダウンロードしてカラオケ用テレビとすることもでき、家庭、会社、各営利事業場所などに適したカラオケ装置とリモートエンドインタラクティブモニター警告表示システムを兼ね備えるテレビに関する。
【背景技術】
【０００２】
従来のモニター警告表示システムは、図１に示すように、コントロールセンター１、少なくとも１個のモニター２、警報器３により構成する。コントロールセンター１は、少なくとも１個のモニター２と警報器３に接続し、しかもコントロールセンター１には、表示スクリーン４を設置する。コントロールセンター１の表示スクリーン４上に、少なくとも１個のモニター２が取り込んだAVデータを表示し、設置する警報器３により警報を発し、モニターとセキュリティ性能を達成することができる。しかし、モニター警告表示システムは、モニターとセキュリティ性能を達成することはできるが、使用時には、受動的なモニターしかできない。また、コントロールセンター１の設置には、かなりの費用がかかる。しかも、使用者は、モニター環境の最新の動態を即時に知ることはできず、即時にインタラクティブな行動を取ることもできない。よって、実際の使用においては、使用者のニーズに応えることはできない。
【０００３】
また、娯楽、エンターテイメント、レジャーが重視される今、歌を歌うことは多くの人が愛好しており、流行しているため、友人と一緒に、カラオケボックスなどに行き歌を歌い、また家族や友人とカラオケを楽しむために、家にカラオケ機を置く人も増えている。従来のカラオケ機は、伝送線により、カラオケ機とテレビ本体とを接続し、カラオケ機のAV信号をテレビとスピーカーに伝送して表示するものである。カラオケ機は、大容量のハードディスクを備え、大量の曲データを保存することができ、メニュー、或いはリクエストシステムを通して歌いたい曲を選択することができる。しかし、歌曲には、中国語、台湾語、広東語、日本語、英語の曲の他に、動揺などもあり、種類、数が非常に多いが、ほんとうに好まれる曲、歌われる曲は実は限られており、多くはその内の何曲かに過ぎず、かつ、それぞれが歌いたい曲、リクエストしたい曲が、メニューの中に無いということもある。しかも、新曲がリリースされる度に、多くの新曲データをハードディスクに保存しなければならないが、その中でも好まれる曲はほんの数曲である可能性が高いにもかかわらず、大容量のハードディスクを用いて保存しなければならない。すなわち、大量の曲データを保存するハードディスクは、消費者にとってはコスト増加の一因であるだけで、実際には必要のないものであることもあるのである。しかも、曲を選ぶ時には、非常に多くの曲データ中から選択することになり、リクエストも容易ではない。
【０００４】
すなわち、従来のカラオケ機内に保存する歌曲は非常に多いが、その内の多くは好まれていない、或いは使用者に不適な歌曲であるため、保存装置のコストをいたずらに高騰させており、実質的な利益は大きくなく、しかもリクエストを難しくしており、実際には、使用者のニーズに適合していない。本考案は、従来のカラオケ装置とモニター警告表示システムの上記した欠点に鑑みてなされたものである。
【考案の概要】
【考案が解決しようとする課題】
【０００５】
本考案が解決しようとする第一の課題は、テレビ本体、少なくとも１個のモニター、少なくとも１個の伝送ユニット、少なくとも１個の放送ユニット、警報誘発ユニット、少なくとも１個のリモートエンド制御ユニットを組み合せた設計で、少なくとも１個のモニターのAVデータは、少なくとも１個の伝送ユニットを経由して、少なくとも１個のリモートエンド制御ユニットとインタラクティブに対応させることができ、これにより、モニターとリモートエンド即時再生を行うことができ、しかも少なくとも１個のリモートエンド制御ユニットは、携帯電話或いはコンピューターにより、リモートエンドから即時モニター或いはリモコン操作を行うことができ、こうして、使用者に、主動的なモニター及びセキュリティ効果を提供することができ、設置コストを低下させ、全体的な使用の実用性、利便性と安全性を大幅に向上させることができるカラオケ装置とリモートエンドインタラクティブモニター警告表示システムを兼ね備えるテレビを提供することである。
本考案が解決しようとする第二の課題は、少なくとも１個の放送ユニットの設置により、外から人が侵入して来た時、少なくとも１個の放送ユニットを起動し、人が家に居るように装い警告を発することができ、或いは家の中の状況をモニターすることができ(お年寄り、幼児の状況をモニターしインタラクティブにコミュニケーションでき、或いは外国人メイドがまじめに働いているかを監視することができる)こうして、全体的な使用の安全性を向上させることができるカラオケ装置とリモートエンドインタラクティブモニター警告表示システムを兼ね備えるテレビを提供することである。
本考案が解決しようとする第三の課題は、警報誘発ユニットを、治安機関、或いはセキュリティ機関と接続させた設計であるため、家の中の環境全体の安全性を増進させることができるカラオケ装置とリモートエンドインタラクティブモニター警告表示システムを兼ね備えるテレビを提供することである。
本考案が解決しようとする第四の課題は、外付け式保存装置を取り出して、コンピューターと接続でき、コンピューター或いはネットワークを通して曲データをダウンロードし、こうして使用者は自身の好みの曲を選択して保存し、しかもリクエストシステムは、保存装置が異なるため、自動的に更新され、さらに個人の好みに応じて自由に設計できるため、使用者の設定を自動的に読み取ることができるカラオケ装置とリモートエンドインタラクティブモニター警告表示システムを兼ね備えるテレビを提供することである。
本考案が解決しようとする第五の課題は、保存装置は、自分の好み或いは適した曲だけを保存することができるため、予め保存されている膨大な曲データを簡略化でき、しかも歌いたい曲を簡単、迅速に探し出すことができるため、必要に応じて、適当な容量の保存装置を選択でき、こうしてコストを低下させ、保存空間を無駄にすることがないため、優れたコストパフォーマンスを発揮するカラオケ装置とリモートエンドインタラクティブモニター警告表示システムを兼ね備えるテレビを提供することである。
本考案が解決しようとする第六の課題は、これまではコンピューター上においてだけ再生されていた映画のファイル、或いは光ディスクに保存し、DVDプレーヤーで再生していたファイルを、本装置の伝送インターフェース(USBインターフェースなど)により直接伝送して再生することができ、コンピューターが不要で、テレビ本体の大きな画面で直接観賞することができるカラオケ装置とリモートエンドインタラクティブモニター警告表示システムを兼ね備えるテレビを提供することである。
本考案が解決しようとする第七の課題は、保存装置により、コンピューターに接続し、デジタル曲データをダウンロード後、テレビ本体の伝送インターフェースに直接挿入して接続し、カラオケを楽しむことができるため、装置全体が簡単で、操作の手順は単純であり、接続が煩雑な伝送線を用いる必要がないカラオケ装置とリモートエンドインタラクティブモニター警告表示システムを兼ね備えるテレビを提供することである。
【課題を解決するための手段】
【０００６】
上記課題を解決するため、本考案は下記のカラオケ装置とリモートエンドインタラクティブモニター警告表示システムを兼ね備えるテレビを提供する。
カラオケ装置とリモートエンドインタラクティブモニター警告表示システムを兼ね備えるテレビは、テレビ本体、少なくとも１個のモニター、少なくとも１個の伝送ユニット、少なくとも１個の放送ユニット、警報誘発ユニット、少なくとも１個のリモートエンド制御ユニットを備え、
該テレビ本体には、AVエンコーダー、カラオケ制御回路、伝送インターフェースを設置し、
該カラオケ制御回路は、カラオケ機能の制御を提供し、
該伝送インターフェースは、外付け式の保存装置に接続し、
該保存装置は、曲のAVデータ保存に用い、しかも該保存装置は取り出して、コンピューターと接続し、曲のAVデータダウンロードすることができ、
該少なくとも１個のモニターは、該テレビ本体のAVエンコーダと相互に接続し、
該少なくとも１個の伝送ユニットの一端は、該AVエンコーダーと相互に接続し、
該少なくとも１個の放送ユニットは、該AVエンコーダーと相互に接続し、
該警報誘発ユニットは、該AVエンコーダーと相互に接続し、
該少なくとも１個のリモートエンド制御ユニットは、該少なくとも１個の伝送ユニットの反対端と相互に接続し、
これにより、該少なくとも１個のモニターのAVは、該少なくとも１個の伝送ユニットを経由して、該少なくとも１個のリモートエンド制御ユニットとインタラクティブな対応を行い、こうしてモニターとリモートエンド放送に有利で、
主動的モニター、リモートエンド即時放送の制御、優れたインタラクティブ効果を備え、また、外付け式デジタル保存装置を備えるため、コンピューターに接続して、曲データをダウンロードし、カラオケ装置として使用できるため、全体的な実用性、利便性、安全性を拡大することができる。
【考案の効果】
【０００７】
本考案カラオケ装置とリモートエンドインタラクティブモニター警告表示システムを兼ね備えるテレビは、応用範囲が非常に広く、フレキシブルで、主動的モニター、リモートエンド即時放送の制御、優れたセキュリティ、及びインタラクティブ効果を備え、また、外付け式デジタル保存装置を備えるため、コンピューターに接続して、曲データをダウンロードし、カラオケ装置として使用できるため、全体的な実用性、利便性、安全性を拡大することができる。
【図面の簡単な説明】
【０００８】
【図１】従来の構造の使用状態を示す模式図である。
【図２】本考案第一実施例の使用状態を示す模式図である。
【図３】本考案の第一実施例において、保存装置をコンピューターに接続し、曲データをダウンロードする様子を示す模式図である。
【図４】本考案第一実施例のブロックチャートである。
【図５】本考案第二一実施例のブロックチャートである。
【考案を実施するための形態】
【０００９】
以下に図面を参照しながら本考案を実施するための最良の形態について詳細に説明する。
【実施例】
【００１０】
図２〜５に示すように、本考案カラオケ装置とリモートエンドインタラクティブモニター警告表示システムを兼ね備えるテレビは、テレビ本体１０、少なくとも１個のモニター２０、少なくとも１個の伝送ユニット３０、少なくとも１個の放送ユニット４０、警報誘発ユニット５０、少なくとも１個のリモートエンド制御ユニット６０を備える。
【００１１】
テレビ本体１０には、AVエンコーダー１１、カラオケ制御回路１４、伝送インターフェース１２を設置する。AVエンコーダー１１には、電話コネクター１１１、ネットワークコネクター１１２、少なくとも１個の放送コネクター１１３を設置する。カラオケ制御回路１４は、カラオケ機能の制御を提供する。伝送インターフェース１２(USBインターフェースなど)により、外付け式の保存装置８０に接続する。保存装置８０は、曲のAVデータ保存に用い、しかも保存装置８０は取り出して、コンピューター９０と接続し、曲のAVデータダウンロードすることができる。
【００１２】
少なくとも１個のモニター２０は、テレビ本体１０のAVエンコーダ１１と相互に接続する。しかも、少なくとも１個のモニター２０は、伝送インターフェース１２(USBインターフェースなど)により、テレビ本体１０のAVエンコーダ１１に接続する。
【００１３】
少なくとも１個の伝送ユニット３０の一端は、AVエンコーダー１１と相互に接続する。少なくとも１個の伝送ユニット３０の反対端は、ネットワーク保存設備１００と相互に接続する。
【００１４】
少なくとも１個の放送ユニット４０(図示の放送ユニット４０は、スピーカー)は、AVエンコーダー１１と相互に接続する。
【００１５】
警報誘発ユニット５０は、AVエンコーダー１１と相互に接続する。少なくとも１個のリモートエンド制御ユニット６０は、AVエンコーダー１１と相互に接続する。少なくとも１個のリモートエンド制御ユニット６０は、携帯電話、或いはコンピューターである。
【００１６】
AVエンコーダー１１の電話コネクター１１１とネットワークコネクター１１２は、対応する伝送ユニット３０と相互に接続する。少なくとも１個の放送コネクター１１３は、対応する少なくとも１個の放送ユニット４０と相互に接続する。少なくとも１個の伝送ユニット３０、或いは少なくとも１個のリモートエンド制御ユニット６０は、治安機関７０と接続する。または、少なくとも１個の伝送ユニット３０と少なくとも１個のリモートエンド制御ユニット６０は同時に、治安機関７０と接続する。伝送ユニット３０は、電話線３１、或いはネットワーク線３２で、電信機関３３と接続し、少なくとも１個のリモートエンド制御ユニット６０に伝送する。少なくとも１個の伝送ユニット３０の電信機関３３は、少なくとも１個のモニター２０からのモニターAV情報を、ネットワーク保存設備１００に即時に伝送する。
【００１７】
保存装置８０は、移動、或いは携帯が可能であるため、便利、かつ迅速にコンピューターに接続して、曲データをダウンロードすることができる。本実施例中では、伝送インターフェース１２は、テレビ本体１０上に設置するUSBインターフェースで、保存装置８０は、ポータブルディスクである。ポータブルディスクは、取り出し、コンピューターのUSBポートに挿入して接続し、音楽ファイル、字幕ファイル、或いはAVファイルなどの曲データをダウンロードすることができる。続いて、それをテレビ本体１０のUSBインターフェースポートに挿入して接続すれば、リモコン、或いはファンクションボタンを通して、曲を選択し、カラオケを楽しむことができる。保存装置８０を、テレビ本体１０に挿入して接続後は、露出式、或いはテレビ本体１０内部に隠れる方式とすることができる。テレビ本体１０は、液晶テレビ(LCD TV)、或いはプラズマテレビ(Plasma Display Panel、PDP)である。
【００１８】
別種の実施方式では、伝送インターフェース１２は、メモリカードコネクターを増設し、保存装置８０をメモリカードとすることができる。この方式では、メモリカードをコンピューターに挿入して接続し、好みの曲データをダウンロードして保存し、その後、テレビ本体１０上に挿入して接続すれば、カラオケ機能を提供することができる。
【００１９】
本考案第一実施例の回路ブロックチャートである図４に示すように、本考案は、テレビ本体１０中に設置し、伝送インターフェース１２と保存装置８０とを接続し、曲のAVデータを伝送する。伝送インターフェース１２は、デジタル信号プロセッサー１３を接続し、デジタル信号プロセッサー１３は、保存装置８０の音楽、AV、字幕ファイルをAV信号に転換する。カラオケ制御回路１４は、デジタル信号プロセッサー１３に接続し、各カラオケ機能を制御する。CPU１５は、カラオケ制御回路１４に接続し、内部回路を制御する。カラオケ制御回路１４は、音源入力ポートを備え、マイクに接続し、音源出力ポートを備え、スピーカー１７に接続し、マイク１６から入力された歌声信号を音楽信号と混合し、スピーカー１７により出力するよう処理する。
【００２０】
テレビ本体１０は、デジタルアンテナと接続し、デジタルテレビ番組を受信することができる。デジタルテレビ信号は、デジタル信号プロセッサー１３により転換を処理後、カラオケ制御回路１４に送られ、使用者は、マイクを握って、テレビ番組と一緒に歌うことができる。
【００２１】
使用者は、保存装置８０を、コンピューター９０に接続して、好みの曲データをダウンロードした後、テレビ本体１０の伝送インターフェース１２に直接挿入して接続すれば、ファンクションボタン、或いはリモコンにより、カラオケ機能をスタートすることができ、使用が非常に容易であり、装置は簡単である。
【００２２】
上記したように構成するカラオケ装置とリモートエンドインタラクティブモニター警告表示システムを兼ね備えるテレビの特徴は、図２〜５に示すように、テレビ本体１０、少なくとも１個のモニター２０、少なくとも１個の伝送ユニット３０、少なくとも１個の放送ユニット４０、警報誘発ユニット５０、少なくとも１個のリモートエンド制御ユニット６０の組み合わせ設計にある。少なくとも１個のモニター２０のAVデータは、少なくとも１個の伝送ユニット３０を経由して、少なくとも１個のリモートエンド制御ユニット６０とインタラクティブに対応させることができ、これにより、モニターとリモートエンド即時再生を行うことができる。こうして、使用者に、主動的なモニター及びセキュリティ効果を提供することができ、設置コストを低下させ、全体的な使用の実用性、利便性と安全性を大幅に向上させることができる。少なくとも１個の放送ユニット４０の設置により、外から人が侵入して来た時、人が家に居るように装い警告を発することができ、或いは家の中の状況をモニターすることができる(お年寄り、幼児の状況をモニターしインタラクティブにコミュニケーションでき、或いは外国人メイドがまじめに働いているかを監視することができる)。こうして、全体的な使用の安全性を向上させることができる。また、本考案中のテレビ本体１０は、警報誘発ユニット５０及び治安機関７０とそれぞれ接続した設計であるため、家の中の環境全体の安全性を増進させることができる。さらに、カラオケ機能を、テレビ本体１０に統合し、しかも保存装置８０は取り出してコンピューター９０に接続し、好みの曲をダウンロードすることができ、また必要に応じて適度な容量の保存装置８０を選択することができるため、コストを低下させられる。
【００２３】
上記したように、本考案の応用範囲は非常に広く、フレキシブルで、本考案は主動的モニター、リモートエンド即時放送の制御、優れたセキュリティ効果を備え、また、外付け式デジタル保存装置を備えるため、コンピューターに接続して、曲データをダウンロードし、カラオケ装置として使用できるため、全体的な実用性、利便性、安全性を拡大することができる。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案の要件である新規性を備え、従来の同類製品に比べ十分な進歩を有し、実用性が高く、社会のニーズに合致しており、産業上の利用価値は非常に大きい。
【符号の説明】
【００２６】
１  コントロールセンター
２  モニター
３  警報器
４  表示スクリーン
１０  テレビ本体
１１  AVエンコーダー
１２  伝送インターフェース
１３  デジタル信号プロセッサー
１４  カラオケ制御回路
１５  CPU
１６  マイク
１７  スピーカー
２０  モニター
３０  伝送ユニット
３１  電話線
３２  ネットワーク線
３３  電信機関
４０  放送ユニット
５０  警報誘発ユニット
６０  リモートエンド制御ユニット
７０  治安機関
８０  保存装置
９０  コンピューター
１００  ネットワーク保存設備
１１１  電話コネクター
１１２  ネットワークコネクター
１１３  放送コネクター
【図１】
0003158652.tif 000003
【図２】
0003158652.tif 000004
【図３】
0003158652.tif 000005
【図４】
0003158652.tif 000006
【図５】
0003158652.tif 000007
【手続補正書】
【提出日】平成22年2月8日(2010.2.8)
【手続補正１】
【補正対象書類名】実用新案登録請求の範囲
【補正対象項目名】請求項９
【補正方法】変更
【補正の内容】
【請求項９】
前記保存装置は、前記伝送インターフェースを経て、デジタル信号プロセッサーと接続し、
前記デジタル信号プロセッサーは、前記保存装置の音楽、字幕、或いはAVファイルなどを、AV信号に転換し、
前記デジタル信号プロセッサーは、前記カラオケ制御回路に接続し、しかも前記カラオケ制御回路は、CPUに接続することを特徴とする請求項１に記載のカラオケ装置とリモートエンドインタラクティブモニター警告表示システムを兼ね備えるテレビ。